(57)【特許請求の範囲】
【請求項１】
サーバから配信される情報を受信する情報受信手段と、
前記情報受信手段が受信した情報を、受信した順に配列して逐次表示するタッチパネル式の情報表示手段とを備える端末であって、
前記情報表示手段に表示する情報の表示優先順位を指定する操作を受け付ける表示優先順位指定操作受付手段と、
前記情報受信手段が受信した情報を、受信した順に配列して非表示にすることなく逐次表示しているときに、ユーザが前記情報表示手段のタッチパネル上の二点に接触する操作を受け付け、さらに、その接触した二点間の距離であって、前記情報表示手段が表示する情報の配列の方向における距離を縮める操作を、前記情報表示手段に表示する情報の量の縮減指示として受け付ける縮減操作受付手段とをさらに備え、
前記情報表示手段は、前記縮減操作受付手段が操作を受け付けたことに応じて、前記表示優先順位の低い情報から順に非表示にすることで前記情報表示手段に表示する情報の量を縮減する端末。
【請求項２】
請求項１に記載の端末であって、
ユーザが前記情報表示手段のタッチパネル上の二点に接触する操作を受け付け、さらに、その接触した二点間の距離であって、前記情報表示手段が表示する情報の配列の方向における距離を伸ばす操作を、前記情報表示手段に表示する情報の量の増大指示として受け付ける増大操作受付手段をさらに備え、
前記情報表示手段は、前記増大操作受付手段が操作を受け付けたことに応じて、前記情報表示手段が非表示にした情報であっても、前記表示優先順位の高い情報から順に表示することで、前記情報表示手段に表示する情報の量を増大する端末。
【請求項３】
情報を配信するサーバと、このサーバから配信される情報を、受信した順に配列して表示する端末とを備えるシステムであって、
前記サーバは、
前記情報を配信する情報配信手段を有し、
前記端末は、
前記サーバから配信された情報を受信する情報受信手段と、
前記情報受信手段が受信した情報を、受信した順に配列して逐次表示するタッチパネル式の情報表示手段と、
前記情報表示手段に表示する情報の表示優先順位を指定する操作を受け付ける表示優先順位指定操作受付手段と、
前記情報受信手段が受信した情報を、受信した順に配列して非表示にすることなく逐次表示しているときに、ユーザが前記情報表示手段のタッチパネル上の二点に接触する操作を受け付け、さらに、その接触した二点間の距離であって、前記情報表示手段が表示する情報の配列の方向における距離を縮める操作を、前記情報表示手段に表示する情報の量の縮減指示として受け付ける縮減操作受付手段とを有し、
前記情報表示手段は、前記縮減操作受付手段が操作を受け付けたことに応じて、前記表示優先順位の低い情報から順に非表示にすることで前記情報表示手段に表示する情報の量を縮減するシステム。
【請求項４】
サーバから配信される情報を、受信した順に逐次配列して端末に表示する方法であって、
前記端末が、前記サーバから配信された情報を受信する情報受信工程と、
前記端末が、前記情報受信工程で受信した情報を、受信した順に配列してタッチパネル式の画面に逐次表示する情報表示工程と、
前記端末が、前記情報表示工程で表示する情報の表示優先順位を指定する操作を受け付ける表示優先順位指定操作受付工程と、
前記端末が、前記情報受信工程で受信した情報を、受信した順に配列して非表示にすることなく逐次表示しているときに、ユーザが前記タッチパネル式の画面上の二点に接触する操作を受け付け、さらに、その接触した二点間の距離であって、前記情報表示工程で表示する情報の配列の方向における距離を縮める操作を、前記情報表示工程で表示する情報の量の縮減指示として受け付ける縮減操作受付工程とを含み、
前記情報表示工程では、前記縮減操作受付工程で操作を受け付けたことに応じて、前記表示優先順位の低い情報から順に非表示にすることで前記情報表示工程で表示する情報の量を縮減する方法。
【請求項５】
サーバから配信される情報を、受信した順に逐次配列して端末に表示させるためのプログラムであって、
前記サーバから配信された情報を受信する情報受信工程と、
前記情報受信工程で受信した情報を、受信した順に配列してタッチパネル式の画面に逐次表示する情報表示工程と、
前記情報表示工程で表示する情報の表示優先順位を指定する操作を受け付ける表示優先順位指定操作受付工程と、
前記情報受信工程で受信した情報を、受信した順に配列して非表示にすることなく逐次表示しているときに、ユーザが前記タッチパネル式の画面上の二点に接触する操作を受け付け、さらに、その接触した二点間の距離であって、前記情報表示工程で表示する情報の配列の方向における距離を縮める操作を、前記情報表示工程で表示する情報の量の縮減指示として受け付ける縮減操作受付工程とを前記端末に実行させ、
前記情報表示工程では、
前記縮減操作受付工程で操作を受け付けたことに応じて、前記表示優先順位の低い情報から順に非表示にすることで前記情報表示工程で表示する情報の量を縮減させる処理を前記端末に実行させるためのプログラム。
【発明の詳細な説明】
【技術分野】
【０００１】
本発明は、情報を表示する端末、システム、方法及びプログラムに関する。
【背景技術】
【０００２】
近年では、ＴＷＩＴＴＥＲ（登録商標）等のサービスが急速に普及している（例えば、非特許文献１参照）。ＴＷＩＴＴＥＲ（登録商標）は、単にユーザがつぶやいた独り言の文字列等を通信ネットワークを介して受信して公衆に閲覧可能に記憶するだけのものであるが、所定のユーザのつぶやきを更新のつど閲覧したり（フォロー）、あるユーザのつぶやきに対して他のユーザがそれを引用して自らのつぶやきとしたり（リツイート）、所定のユーザのつぶやきに自らのコメントを追加して投稿したり（クオートツイート）することもできる。このように、さまざまな形態での応答が発展することにより、あたかも大勢で会話しているかのような感覚を与えることができる。
【０００３】
また、ＴＷＩＴＴＥＲ（登録商標）の魅力として、速報性の高さも挙げられる。例えば、どこかで地震が起こると、「地震だ！」というつぶやきが投稿され、このつぶやきに対し、フォロー、リツイート、クオートツイートが次々に行われる。その結果、地震が発生したことの情報をテレビのニュースやインターネットのニュースサイトよりも早く提供できる場合がある。
【先行技術文献】
【非特許文献】
【０００４】
【非特許文献１】ツイッター完全活用術、日本、アスキー・メディアワークス、２０１０年２月２６日、８〜９頁
【発明の概要】
【発明が解決しようとする課題】
【０００５】
しかし、既存の技術では、サーバから配信される情報を、配信された順に順次表示するだけである。そのため、例えば、地震の震源地から遠いユーザにとって、地震の情報は、特段重要ではないが、この地震の情報が短時間に多数配信されることにより、ユーザは、より重要な情報を閲覧できなくなる可能性がある。
【０００６】
本発明は、速報性の高さを維持しつつ、ユーザが求める情報をより確実に表示することの可能な端末、システム、方法及びプログラムを提供することを目的とする。
【課題を解決するための手段】
【０００７】
本発明では、以下のような解決手段を提供する。
【０００８】
（１）  サーバから配信される情報を受信する情報受信手段と、前記情報受信手段が受信した情報を、受信した順に配列して逐次表示するタッチパネル式の情報表示手段とを備える端末であって、前記情報表示手段に表示する情報の表示優先順位を指定する操作を受け付ける表示優先順位指定操作受付手段と、ユーザが前記情報表示手段のタッチパネル上の二点に接触する操作を受け付け、さらに、その接触した二点間の距離であって、前記情報表示手段が表示する情報の配列の方向における距離を縮める操作を、前記情報表示手段に表示する情報の量の縮減指示として受け付ける縮減操作受付手段とをさらに備え、前記情報表示手段は、前記縮減操作受付手段が操作を受け付けたことに応じて、前記表示優先順位の低い情報から順に非表示にすることで前記情報表示手段に表示する情報の量を縮減する端末。
【０００９】
（１）に記載の発明によれば、表示優先順位指定操作受付手段は、情報表示手段に表示する情報の表示優先順位を指定する操作を受け付け、縮減操作受付手段は、ユーザがタッチパネル上の二点に接触する操作を受け付け、さらに、その接触した二点間の距離であって、情報表示手段が表示する情報の配列の方向における距離を縮める操作を、情報表示手段に表示する情報の量の縮減指示として受け付ける。そして、情報表示手段は、縮減操作受付手段が操作を受け付けたことに応じて、表示優先順位の低い情報から順に非表示にすることで、情報表示手段に表示する情報の量を縮減する。これにより、ユーザにとって表示優先順位の低い情報が短時間に多数配信された場合であっても、表示優先順位の低い情報から順に適宜非表示とし、表示優先順位の高い情報だけを残して表示できるので、速報性の高さを維持しつつ、ユーザに対し、表示優先順位の高い情報を確実に伝えることの可能な端末を提供できる。
【００１０】
（２）  （１）に記載の端末であって、ユーザが前記情報表示手段のタッチパネル上の二点に接触する操作を受け付け、さらに、その接触した二点間の距離であって、前記情報表示手段が表示する情報の配列の方向における距離を伸ばす操作を、前記情報表示手段に表示する情報の量の増大指示として受け付ける増大操作受付手段をさらに備え、前記情報表示手段は、前記増大操作受付手段が操作を受け付けたことに応じて、前記情報表示手段が非表示にした情報であっても、前記表示優先順位の高い情報から順に表示することで、前記情報表示手段に表示する情報の量を増大する端末。
【００１１】
（２）に記載の発明によれば、優先順位の高い情報を全て閲覧し、優先順位の低い情報についても詳細に閲覧したい場合、ユーザは、タッチパネル上の二点に接触し、その接触した二点間の距離であって、情報表示手段が表示する情報の配列の方向における距離を伸ばす操作を行うだけで、増大操作受付手段がその操作を受け付け、情報表示手段は、優先順位の高い順にその情報を表示する。よって、情報を閲覧できる時間等に応じて、優先順位の高い情報だけに絞って閲覧するか、優先順位の低い情報も詳細に見るかを、タッチパネル上の二点に接触し、その接触した二点間の距離の伸縮操作だけで自在に選択可能な端末を提供できる。
【００１２】
（３）  情報を配信するサーバと、このサーバから配信される情報を、受信した順に配列して表示する端末とを備えるシステムであって、前記サーバは、前記情報を配信する情報配信手段を有し、前記端末は、前記サーバから配信された情報を受信する情報受信手段と、前記情報受信手段が受信した情報を、受信した順に配列して逐次表示するタッチパネル式の情報表示手段と、前記情報表示手段に表示する情報の表示優先順位を指定する操作を受け付ける表示優先順位指定操作受付手段と、ユーザが前記情報表示手段のタッチパネル上の二点に接触する操作を受け付け、さらに、その接触した二点間の距離であって、前記情報表示手段が表示する情報の配列の方向における距離を縮める操作を、前記情報表示手段に表示する情報の量の縮減指示として受け付ける縮減操作受付手段とを有し、前記情報表示手段は、前記縮減操作受付手段が操作を受け付けたことに応じて、前記表示優先順位の低い情報から順に非表示にすることで前記情報表示手段に表示する情報の量を縮減するシステム。
【００１３】
（４）  サーバから配信される情報を、受信した順に逐次配列して端末に表示する方法であって、前記端末が、前記サーバから配信された情報を受信する情報受信工程と、前記端末が、前記情報受信工程で受信した情報を、受信した順に配列してタッチパネル式の画面に逐次表示する情報表示工程と、前記端末が、前記情報表示工程で表示する情報の表示優先順位を指定する操作を受け付ける表示優先順位指定操作受付工程と、前記端末が、ユーザが前記タッチパネル式の画面上の二点に接触する操作を受け付け、さらに、その接触した二点間の距離であって、前記情報表示工程で表示する情報の配列の方向における距離を縮める操作を、前記情報表示工程で表示する情報の量の縮減指示として受け付ける縮減操作受付工程とを含み、前記情報表示工程では、前記縮減操作受付工程で操作を受け付けたことに応じて、前記表示優先順位の低い情報から順に非表示にすることで前記情報表示工程で表示する情報の量を縮減する方法。
【００１４】
（５）  サーバから配信される情報を、受信した順に逐次配列して端末に表示させるためのプログラムであって、前記サーバから配信された情報を受信する情報受信工程と、前記情報受信工程で受信した情報を、受信した順に配列してタッチパネル式の画面に逐次表示する情報表示工程と、前記情報表示工程で表示する情報の表示優先順位を指定する操作を受け付ける表示優先順位指定操作受付工程と、ユーザが前記タッチパネル式の画面上の二点に接触する操作を受け付け、さらに、その接触した二点間の距離であって、前記情報表示工程で表示する情報の配列の方向における距離を縮める操作を、前記情報表示工程で表示する情報の量の縮減指示として受け付ける縮減操作受付工程とを前記端末に実行させ、前記情報表示工程では、前記縮減操作受付工程で操作を受け付けたことに応じて、前記表示優先順位の低い情報から順に非表示にすることで前記情報表示工程で表示する情報の量を縮減させる処理を前記端末に実行させるためのプログラム。
【００１５】
（３）に記載のシステムによれば、当該システムに係る発明を実施することにより、（１）と同様の効果が期待できる。（４）に記載の方法によれば、当該方法に係る発明を実施することにより、（１）と同様の効果が期待できる。また、（５）記載のプログラムによれば、当該プログラムに係る発明を実施することにより、（１）と同様の効果が期待できる。
【発明の効果】
【００１６】
本発明によれば、速報性の高さを維持しつつ、ユーザが求める情報をより確実に表示することの可能な端末を提供、システム、方法及びプログラムを提供できる。
【図面の簡単な説明】
【００１７】
【図１】本実施形態に係るシステム１を説明するための全体構成を示す図である。
【図２】本実施形態に係る表示優先順位データベース４１を示す図である。
【図３】本実施形態に係る端末３のフローチャートである。
【図４】本実施形態に係るシステム１、端末３、方法及びプログラムを実施したときの端末３による情報の受信例を示す図である。
【図５】端末３が図４の例にしたがって情報を受信したときの端末３の画面５０での表示例を示す図である。
【図６】図５に続く図である。
【図７】変形例に係る配信情報データベースの例を示す図である。
【発明を実施するための形態】
【００１８】
以下、本発明の実施形態について図を参照しながら説明する。
【００１９】
［全体構成］
図１は、本実施形態に係るシステム１及び端末３を説明するための全体構成を示す図である。システム１は、情報を配信するサーバ２と、このサーバ２とネットワークを介して接続され、サーバ２から配信される情報を、受信した順に配列して表示する端末３とを備える。端末３は、タッチパネル式のものであれば、種類を問うものではない。例えば、端末３は、携帯端末であってもよいし、店舗等に設置されるデジタルサイネージであってもよい。
【００２０】
まず、サーバ２の構成について説明する。サーバ２は、制御部１０を備える。制御部１０は、サーバ２に係る各機能を統括的に制御する部分であり、端末３に情報を配信する情報配信部１１を備える。この情報配信部１１は、情報配信手段として機能する。
【００２１】
続いて、端末３の構成について説明する。端末３は、制御部３０と、記憶部４０とを備える。制御部３０は、端末３に表示する情報の表示優先順位を指定する操作を受け付ける表示優先順位指定操作受付部３１を備え、記憶部４０は、表示優先順位指定操作受付部３１で受け付けた表示優先順位の内容を記憶する表示優先順位データベース４１とを備える。これら表示優先順位指定操作受付部３１及び表示優先順位データベース４１は、表示優先順位指定操作受付手段として機能する。
【００２２】
表示優先順位データベース４１は、図２に例示される。表示優先順位データベース４１は、サーバ２に情報を送信した端末（図示せず）を識別するための「受信情報ＩＤ」フィールドと、この受信情報ＩＤに対応する端末からサーバ２に送信された情報を、実際に端末３で表示する優先順位を識別するための「表示優先順位」フィールドとを有する。例えば、ユーザが、優先順位を受信情報ＩＤ「Ａ」、「Ｂ」、「Ｃ」の順であると指定したときは、表示優先順位データベース４１の受信情報ＩＤフィールドＡに対しては１が、Ｂに対しては２が、Ｃに対しては３が記憶される。
【００２３】
図１に戻り、制御部３０は、情報配信部１１から配信された情報を受信する情報受信部３２を備える。情報受信部３２は、情報受信手段として機能する。
【００２４】
制御部３０は、情報受信部３２が受信した情報を、受信した順に配列して逐次表示する情報表示部３３を備える。情報表示部３３は、情報表示手段として機能する。ここで、「受信した順」は、最も新しく受信した順であり、情報表示部３３には、最も新しく受信した情報が最初に表示され、他の情報は、時系列に遡って一方向に配列して表示される。情報表示部３３は、後に説明する縮減操作及び増大操作を行うため、タッチパネル式であることを要するが、その他の制限はない。
【００２５】
制御部３０は、ユーザが情報表示部３３のタッチパネル上の二点に接触する操作を受け付け、さらに、その接触した二点間の距離であって、情報表示部３３が表示する情報の配列の方向における距離を縮める縮減操作を、情報表示部３３に表示する情報の量の縮減指示として受け付ける縮減操作受付部３４を備える。縮減操作受付部３４は、縮減操作受付手段として機能する。
【００２６】
縮減操作受付部３４が縮減操作を受け付けると、情報表示部３３は、縮減操作受付部３４が操作を受け付けたことに応じて、表示優先順位の低い情報から順に非表示にすることで情報表示部３３に表示する情報の量を縮減する。例えば、情報表示部３３が受信情報ＩＤ「Ａ」〜「Ｃ」の情報を表示する間に縮減操作受付部３４が縮減操作を受け付けた場合、情報表示部３３は、表示優先順位データベース４１を参照し、表示優先順位が最も低い受信情報ＩＤ「Ｃ」の情報を非表示にすることで情報表示部３３に表示する情報の量を縮減する。そして、縮減操作受付部３４がさらに縮減操作を受け付けた場合、情報表示部３３は、表示優先順位データベース４１を参照し、次に表示優先順位が低い受信情報ＩＤ「Ｂ」の情報を非表示にすることで情報表示部３３に表示する情報の量を縮減する。
【００２７】
また、制御部３０は、ユーザが情報表示部３３のタッチパネル上の二点に接触する操作を受け付け、さらに、その接触した二点間の距離であって、情報表示部３３が表示する情報の配列の方向における距離を伸ばす操作を、情報表示部３３に表示する情報の量の増大指示として受け付ける増大操作受付部３５を備える。増大操作受付部３５は、増大操作受付手段として機能する。
【００２８】
増大操作受付部３５が増大操作を受け付けると、情報表示部３３は、いったん非表示にした情報であっても、表示優先順位の高い情報から順に表示することで、情報表示部３３に表示する情報の量を増大する。例えば、受信情報ＩＤ「Ｃ」の情報及び受信情報ＩＤ「Ｂ」の情報を非表示にし、いったん情報表示部３３に表示する情報の量を縮減した場合であっても、増大操作受付部３５が縮減操作を受け付けた場合、情報表示部３３は、表示優先順位データベース４１を参照し、非表示にした受信情報ＩＤの中で最も表示優先順位の高い受信情報ＩＤ「Ｂ」の情報を表示し、情報表示部３３に表示する情報の量を増大する。そして、増大操作受付部３５がさらに縮減操作を受け付けた場合、情報表示部３３は、表示優先順位データベース４１を参照し、次に表示優先順位が高い受信情報ＩＤ「Ｃ」の情報を表示し、情報表示部３３に表示する情報の量を増大する。
【００２９】
［本実施形態のハードウェア及びソフトウェアの構成］
本実施形態のハードウェア及びソフトウェアの構成について説明する。サーバ２及び端末３のハードウェアには、制御装置（制御部）としてのＣＰＵの他、記憶装置（記憶部）、通信装置（通信部）、表示装置（表示部）及び入力装置（入力部）が含まれる。記憶装置（記憶部）としては、例えば、メモリ（ＲＡＭ、ＲＯＭ等）、ハードディスクドライブ（ＨＤＤ）又は光ディスク（ＣＤ、ＤＶＤ等）ドライブ等が挙げられる。通信装置（通信部）としては、例えば、各種有線又は無線インターフェース装置等が挙げられる。表示装置（表示部）としては、例えば、液晶ディスプレイ又はプラズマディスプレイ等の各種ディスプレイが挙げられる。入力装置（入力部）としては、例えば、キーボード、ポインティング・デバイス（マウス等）又はリモコン装置等が挙げられる。
【００３０】
サーバ２及び端末３のソフトウェアには、上記ハードウェアを制御するプログラムやデータが含まれる。プログラムやデータは、記憶装置（記憶部）により記憶され、制御装置（制御部）により適宜実行、参照される。また、コンピュータ・プログラムやデータは、電磁的方法により配布することも可能であり、ＣＤ−ＲＯＭ等のコンピュータ可読媒体に記録して配布することも可能である。
【００３１】
［フローチャート］
図３は、本実施形態に係る端末３のフローチャートである。
【００３２】
ステップＳ１では、表示優先順位指定操作受付部３１は、情報表示部３３に表示する情報の表示優先順位を指定する操作を受け付ける。この処理で受け付けた内容は、表示優先順位データベース４１に記憶される。例えば、図２で例示したように、ユーザが、受信情報ＩＤ「Ａ」を優先順位「１」と指定し、受信情報ＩＤ「Ｂ」を優先順位「２」と指定し、受信情報ＩＤ「Ｃ」を優先順位「３」と指定する場合、表示優先順位指定操作受付部３１は、この指定の操作を受け付け、表示優先順位データベース４１に記憶させる。
【００３３】
例えば、端末３のユーザが企業等の組織に所属している場合には、所属する企業等の組織が配信する情報の受信情報ＩＤを優先順位「１」にし、業界紙の配信元の受信情報ＩＤ、一般ニュースの配信元の受信情報ＩＤ、趣味や芸能ニュースの配信元の受信情報ＩＤ、・・・といった順番で表示優先順位を指定することが考えられる。また、例えば、端末３のユーザが学生であるならば、所属する学校や学部が配信する情報の受信情報ＩＤ（オフィシャルＩＤ）を優先順位「１」にし、履修中のクラスの担当教授が配信する情報の受信情報ＩＤや自身が所属するゼミが配信する情報の受信情報ＩＤ、自身が所属するサークルが配信する情報の受信情報ＩＤ、・・・といった順番で表示優先順位を指定することが考えられる。また、ユーザの属性にかかわらず、地震速報や災害情報を流す「気象庁」や「自治体」の配信する情報の受信情報ＩＤを最上位の優先順位にしておくことも考えられる。
【００３４】
ステップＳ２では、情報受信部３２は、サーバ２の情報配信部１１から配信された情報を受信したか否かを判別する。この判別がＹＥＳのときは、情報受信部３２は、処理をステップＳ３に移し、ＮＯのときは、情報受信部３２は、ステップＳ２の処理を繰り返す。ステップＳ３では、情報受信部３２は、サーバ２の情報配信部１１から配信された情報を受信する。ステップＳ４では、情報表示部３３は、情報受信部３２が受信した情報を、受信した順に配列して逐次表示する。
【００３５】
ステップＳ５では、縮減操作受付部３４が縮減操作を受け付けたか否かを判別する。この処理では、縮減操作受付部３４が、ユーザが情報表示部３３のタッチパネル上の二点に接触する操作を受け付け、さらに、その接触した二点間の距離であって、情報表示部３３が表示する情報の配列の方向における距離を縮める操作を受け付けたか否かを判別する。この判別がＹＥＳのときは、縮減操作受付部３４は、処理をステップＳ６に移し、ＮＯのときは、縮減操作受付部３４は、処理をステップＳ７に移す。ステップＳ６では、情報表示部３３は、表示優先順位の低い情報から順に非表示にすることで、情報表示部３３に表示する情報の量を縮減する。
【００３６】
ステップＳ７では、増大操作受付部３５が増大操作を受け付けたか否かを判別する。この処理では、増大操作受付部３５が、ユーザが情報表示部３３のタッチパネル上の二点に接触する操作を受け付け、さらに、その接触した二点間の距離であって、情報表示部３３が表示する情報の配列の方向における距離を伸ばす操作を受け付けたか否かを判別する。この判別がＹＥＳのときは、増大操作受付部３５は、処理をステップＳ８に移し、ＮＯのときは、増大操作受付部３５は、処理をステップＳ９に移す。ステップＳ８では、情報表示部３３は、いったん非表示にした情報であっても、表示優先順位の高い情報から順に表示することで、情報表示部３３に表示する情報の量を増大する。
【００３７】
ステップＳ９では、情報受信部３２は、サーバ２の情報配信部１１から配信された情報を受信したか否かを判別する。この判別がＹＥＳのときは、情報受信部３２は、処理をステップＳ３に移し、ＮＯのときは、処理をステップＳ１０に移す。
【００３８】
ステップＳ１０では、制御部３０は、処理を終了するか否かを判別する。この判別がＹＥＳのときは、制御部３０は、処理を終了し、ＮＯのときは、処理をステップＳ５に移す。
【００３９】
［本実施形態に係るシステム１の実施例］
図４は、本実施形態に係るシステム１、端末３、方法及びプログラムを実施したときの端末３による情報の受信時刻、受信情報ＩＤ及び受信情報の内容の例を示す図である。
図５及び図６は、端末３がタッチパネル式の携帯電話機である場合に、本実施形態に係るシステム１、端末３、方法及びプログラムを実施し、端末３が図４の例にしたがって情報を受信したときの端末３の画面５０での表示例を示す図である。
【００４０】
図４において、端末３の情報受信部３２は、サーバ２の情報配信部１１から配信される情報を逐次受信する。例えば、情報受信部３２は、２０１０年３月２９日１０時２分に、受信情報ＩＤ「Ｂ」に対応する、フィギュアスケートの感想を入力する端末から情報配信部１１に送信した情報「フィギュア世界選手権、男子も女子も金メダル！！！」を受信し、続いて、同５分に、受信情報ＩＤ「Ａ」に対応する、ニュースを提供する端末から情報配信部１１に送信した情報「日経平均株価が○○円に回復する勢いです。」を受信する。
【００４１】
図５の（ａ）は、情報受信部３２が情報配信部１１から情報を受信し、その受信した情報を情報表示部３３に表示させたときの一例を示す図である。図５の（ｂ）は、図５の（ａ）の例において、縮減操作受付部３４が縮減操作を受け付けたときの情報表示部３３の一例を示す図である。図６の（ａ）は、図５の（ｂ）の例において、縮減操作受付部３４が縮減操作をさらに受け付けたときの情報表示部３３の一例を示す図である。図６の（ｂ）は、図６の（ａ）の例において、増大操作受付部３５が増大操作を受け付けたときの情報表示部３３の一例を示す図である。
【００４２】
以下では、図５及び図６について詳細に説明する。
【００４３】
図５の（ａ）は、情報受信部３２が情報配信部１１から情報を受信し、その受信した情報を情報表示部３３に表示させたときの一例を示す図である。情報受信部３２は、図４の例にしたがい、情報配信部１１から情報を受信する。そして、情報表示部３３は、情報受信部３２が受信した情報を、受信した順に配列して逐次表示する。
【００４４】
図５の（ａ）は、このときの画面５０での表示例である。画面５０には、情報受信部３２が受信した情報が、受信した順に配列して逐次表示される。図４を例にすると、２０１０年３月９日１０時２５分現在、画面の最も上には、受信情報ＩＤ「Ａ」に対応する端末から１０時２０分に配信された情報、すなわち「スカイツリーが東京タワーを超える高さになりました。」という情報が表示され、以下、受信情報ＩＤ「Ｃ」に対応する、サッカー観戦の感想を入力する端末から同１９分に配信された情報、すなわち「入ったあ。勝ち越しだあ。」という情報、受信情報ＩＤ「Ｂ」に対応する端末から同１８分に配信された情報、すなわち「エキシビジョンが楽しみだね。」という情報の順に表示される。
【００４５】
この表示例では、受信情報ＩＤ「Ａ」〜「Ｃ」の情報が全て表示されているため、優先順位が高い受信情報ＩＤの情報であっても、１０時２５分以前に配信された情報を一目で確認することができない。そこで、ユーザは、画面５０のタッチパネル上の二点に接触し、さらに、その接触した二点間の距離であって、画面５０で表示する情報の配列の方向における距離を縮める操作を行っている。
【００４６】
図５の（ｂ）は、図５の（ａ）の例において、縮減操作受付部３４が縮減操作を受け付けたときの情報表示部３３の一例を示す図である。縮減操作受付部３４が縮減操作を受け付けると、情報表示部３３は、表示優先順位の低い情報から順に非表示にすることで情報表示部３３に表示する情報の量を縮減する。図４の例では、最も優先順位が低い受信情報ＩＤは「Ｃ」なので、図６の画面５０には、表示優先順位の低い受信情報ＩＤ「Ｃ」の情報が非表示になり、受信情報ＩＤ「Ｂ」の情報及び受信情報ＩＤ「Ａ」の情報だけが表示される。図５の（ｂ）例では、ユーザは、さらに縮減操作を行っている。
【００４７】
図６の（ａ）は、図５の（ｂ）の例において、縮減操作受付部３４が縮減操作をさらに受け付けたときの情報表示部３３の一例を示す図である。図４の例では、次に優先順位が低い受信情報ＩＤはＢなので、図６の（ａ）の画面５０には、次に表示優先順位の低い受信情報ＩＤ「Ｂ」の情報が非表示になり、受信情報ＩＤ「Ａ」の情報だけが表示される。図６の（ａ）の例では、ユーザは、続いて画面５０のタッチパネル上の二点に接触し、さらに、その接触した二点間の距離であって、画面５０で表示する情報の配列の方向における距離を伸ばす操作を行っている。
【００４８】
図６の（ｂ）は、図６の（ａ）の例において、増大操作受付部３５が増大操作を受け付けたときの情報表示部３３の一例を示す図である。図４の例では、非表示にした受信情報ＩＤの中で最も表示優先順位の高い受信情報ＩＤは「Ｂ」なので、図６の（ａ）の画面５０には、すでに表示されている情報に加え、受信情報ＩＤ「Ｂ」の情報も表示される。
【００４９】
本実施例によると、表示優先順位指定操作受付部３１は、情報表示部３３に表示する情報の表示優先順位を指定する操作を受け付け、縮減操作受付部３４は、ユーザがタッチパネル上の二点に接触する操作を受け付け、さらに、その接触した二点間の距離であって、情報表示部３３が表示する情報の配列の方向における距離を縮める操作を、情報表示部３３に表示する情報の量の縮減指示として受け付ける。そして、情報表示部３３は、縮減操作受付部３４が操作を受け付けたことに応じて、表示優先順位の低い情報から順に非表示にすることで、情報表示部３３に表示する情報の量を縮減する。これにより、ＴＷＩＴＴＥＲ（登録商標）のようにサーバ２で情報を管理しておらず、サーバ２があらゆる情報を端末３に配信することにより、情報受信部１２がユーザにとって表示優先順位の低い情報を短時間に多数受信するような場合であっても、ユーザは、表示優先順位の低い情報から順に適宜非表示とし、表示優先順位の高い情報だけを残して情報表示部３３に表示できるので、速報性の高さを維持しつつ、ユーザに対し、表示優先順位の高い情報を確実に伝えることの可能な端末３を提供できる。
【００５０】
また、増大操作受付部３５は、ユーザが情報表示部のタッチパネル上の二点に接触する操作を受け付け、さらに、その接触した二点間の距離であって、情報表示部３３が表示する情報の配列の方向における距離を伸ばす操作を、情報表示部３３に表示する情報の量の増大指示として受け付ける。そして、情報表示部３３は、増大操作受付部３５が操作を受け付けたことに応じて、情報表示部３３が非表示にした情報であっても、表示優先順位の高い情報から順に表示することで、情報表示部３３に表示する情報の量を増大する。ユーザにとってみると、優先順位の高い受信情報ＩＤの情報を全て閲覧し、優先順位の低い受信情報ＩＤの情報についても詳細に閲覧したい場合、タッチパネル上の二点に接触し、その接触した二点間の距離であって、情報表示部３３が表示する情報の配列の方向における距離を伸ばす操作を行うだけで、増大操作受付部３５がその操作を受け付け、情報表示部３３は、優先順位の高い受信情報ＩＤの順にその受信情報ＩＤの情報を表示する。よって、情報を閲覧できる時間等に応じて、優先順位の高い受信情報ＩＤの情報だけに絞って閲覧するか、優先順位の低い受信情報ＩＤの情報も詳細に見るかを、タッチパネル上の二点に接触し、その接触した二点間の距離の伸縮操作だけで自在に選択可能な端末３を提供できる。
【００５１】
本実施例では、ＴＷＩＴＴＥＲ（登録商標）に適用した例を説明しているが、これに限るものでなく、例えば、デジタルサイネージにも適用できる。デジタルサイネージに適用する場合、ＴＷＩＴＴＥＲ（登録商標）と異なり、端末３に配信する情報を、この情報の属性を識別するためのカテゴリとともにサーバ２が管理してもよい。例えば、図７に示すように、商品の概略を示す情報をカテゴリ「ａ」とし、商品の詳細を示す情報をカテゴリ「ｂ」とし、ユーザの感想を示す情報をカテゴリ「ｃ」とする。そして、端末３のユーザは、同じ受信情報ＩＤ（デジタルサイネージの場合は、広告の配信元のＩＤ等がこれにあたる）であっても、カテゴリ「ａ」、「ｂ」、「ｃ」の順に表示優先順位を規定する。これにより、商品の概略を知りたい人は、縮減操作を繰り返すことにより、優先順位の高いカテゴリ「ａ」の情報だけを閲覧し、商品の詳細を知りたい人は、増大操作を繰り返すことにより、優先順位の低いカテゴリ「ｂ」、「ｃ」の情報も含めて閲覧することの可能なデジタルサイネージを提供できる。また、図示は省略するが、受信情報ＩＤとカテゴリの各々について表示優先順位を規定し、受信情報ＩＤとカテゴリの各々について縮減操作・増大操作をできるようにしてもよい。これにより、例えば、受信情報ＩＤ「Ａ」と「Ｂ」とを表示させ、さらに受信情報ＩＤ「Ａ」については、カテゴリ「ａ」と「ｂ」との両方を表示させ、受信情報ＩＤ「Ｂ」については、カテゴリ「ａ」だけを表示させるといったことが可能となる。
【００５２】
なお、本実施形態に記載された効果は、本発明から生じる最も好適な効果を列挙したに過ぎず、本発明による効果は、本実施形態に記載されたものに限定されるものではない。
【符号の説明】
【００５３】
１  システム
２  サーバ
３  端末
１０  サーバの制御部
１１  情報配信部
２０  サーバの記憶部
２１  配信情報データベース
３０  端末の制御部
３１  表示優先順位指定操作受付部
３２  情報受信部
３３  情報表示部
３４  縮減操作受付部
３５  増大操作受付部
４０  端末の記憶部
４１  表示優先順位データベース
【図１】
0005597428.tif 000002
【図２】
0005597428.tif 000003
【図３】
0005597428.tif 000004
【図４】
0005597428.tif 000005
【図５】
0005597428.tif 000006
【図６】
0005597428.tif 000007
【図７】
0005597428.tif 000008